【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
液体を含む飲用容器とともに用いられる蓋部であって、
前記飲用容器に選択的に連結され、且つ、前記蓋部が前記飲用容器に連結されるとき流体通路の通過が可能となるよう構成された飲用開口部を有する上方部分を備える、本体と、
前記本体に対して移動可能に連結され、閉止位置へと上方に変位するよう構成され、開放位置へと下方に変位するよう構成され、第１カム従動子を有するストッパであって、前記閉止位置においては、前記ストッパが、前記本体の一部分と係合し前記飲用開口部をカバーすることにより、流体通路が前記飲用開口部を通過することが妨げられ、前記開放位置においては、前記ストッパが、前記本体の前記一部分から離間されることにより、流体通路が前記飲用開口部を通過することが可能となる、ストッパと、
前記本体に移動可能に連結され、前記ストッパに摺動可能に係合し、内方および外方に移動することが可能であり、第１カム表面を有する作動部材であって、前記ストッパの前記第１カム従動子は、前記作動部材の内方移動の間は、前記作動部材の前記第１カム表面と係合し、それにより前記第１カム表面は前記第１カム従動子を下方に移動させ、それにより前記ストッパは前記開放位置へと移動されるよう配置され、且つ、前記作動部材の外方移動の間は、前記第１カム表面は前記第１カム従動子が上方に移動することを可能にし、それにより、前記ストッパは前記閉止位置へと移動されるよう配置される、作動部材と、
前記本体に回転可能に連結され、回転可能に変位するよう構成されたレバーであって、第１の力が前記レバーに与えられると、前記レバーは第２の力を前記作動部材に与えるよう動作し、それにより、前記作動部材は内方に移動する、レバーと、
を備える、蓋部。
【請求項２】
前記レバーは、前記レバーが前記飲用開口部をカバーするカバー位置へと回転可能に変位することが可能である、請求項１に記載の蓋部。
【請求項３】
前記レバーは、前記本体の前方リップ部分の反対側の位置において、前記本体の上方部分に連結され、前記レバーの前方部分は、前記レバーが前記カバー位置にあるとき、前記前方リップ部分をカバーする、請求項２に記載の蓋部。
【請求項４】
前記レバーは前記カバー位置において解放可能に固定されるよう構成された、請求項２に記載の蓋部。
【請求項５】
前記レバーは、ヒンジにより前記本体に連結され、前記ヒンジから離間した前記レバーの第１部分において前記第１の力を受容するよう構成され、前記ヒンジと前記第１位置との間に配置された前記レバーの第２部分において前記第２の力を前記作動部材に与えるよう構成された、請求項１に記載の蓋部。
【請求項６】
前記第１部分は、前記第２の力が前記第１の力より大きくなるよう、前記第２部分に対して配置された、請求項５に記載の蓋部。
【請求項７】
前記本体の側壁部分上に配置されたボタンであって、前記ボタンは、前記ボタンを押下することにより前記作動部材が内方に移動されるよう、前記作動部材に連結され、前記レバーは、前記第１の力が前記レバーに与えられると、前記第２の力を前記ボタンに与えるよう構成されたボタンをさらに備える、請求項１に記載の蓋部。
【請求項８】
前記ストッパに連結され、前記作動部材の外方移動に応答して前記閉止位置へと上方に前記ストッパを付勢するよう構成された、ストッパ付勢部材と、
前記作動部材に動作可能に連結され、外方に移動するように前記作動部材を付勢するよう構成され、前記ストッパ付勢部材が前記ストッパを前記閉止位置へと上方に移動させることを可能にするよう構成された、作動部材付勢部材と、
をさらに備える、請求項１に記載の蓋部。
【請求項９】
飲用容器および蓋部の組立体であって、
飲用容器と、
前記飲用容器に選択的に連結され、且つ、前記蓋部が前記飲用容器に連結されるとき流体通路の通過が可能となるよう構成された飲用開口部を有する上方部分を備える、本体、
前記本体に対して移動可能に連結され、閉止位置へと上方に変位するよう構成され、開放位置へと下方に変位するよう構成され、第１カム従動子を有するストッパであって、前記閉止位置においては、前記ストッパが、前記本体の一部分と係合し前記飲用開口部をカバーすることにより、流体通路が前記飲用開口部を通過することが妨げられ、前記開放位置においては、前記ストッパが、前記本体の前記一部分から離間されることにより、流体通路が前記飲用開口部を通過することが可能となる、ストッパ、
前記本体に移動可能に連結され、前記ストッパに摺動可能に係合し、内方および外方に移動することが可能であり、第１カム表面を有する作動部材であって、前記ストッパの前記第１カム従動子は、前記作動部材の内方移動の間は、前記作動部材の前記第１カム表面と係合し、それにより前記第１カム表面は前記第１カム従動子を下方に移動させ、それにより前記ストッパは前記開放位置へと移動されるよう配置され、且つ、前記作動部材の外方移動の間は、前記第１カム表面は前記第１カム従動子が上方に移動することを可能にし、それにより、前記ストッパは前記閉止位置へと移動されるよう配置される、作動部材、および
前記本体に回転可能に連結されたレバーであって、前記レバーが前記飲用開口部をカバーするカバー位置へと、および第１の力が前記レバーに与えられると前記レバーが前記作動部材に第２の力を与えるよう機能し、それにより前記作動部材が内方に移動される作動位置へと、回転可能に変位するよう構成された、レバー、
を備える蓋部と、
を含む組立体。
【請求項１０】
前記レバーは、前記カバー位置において解放可能に固定されるよう構成された、請求項９に記載の飲用容器および蓋部の組立体。
【請求項１１】
前記レバーは、ヒンジにより前記本体に連結され、前記ヒンジから離間した前記レバーの第１部分において前記第１の力を受容するよう構成され、前記ヒンジと前記第１位置との間に配置された前記レバーの第２部分において前記第２の力を前記作動部材に与えるよう構成された、請求項９に記載の飲用容器および蓋部の組立体。
【請求項１２】
前記第１部分は、前記第２の力が前記第１の力より大きくなるよう、前記第２部分に対して配置された、請求項１１に記載の飲用容器および蓋部の組立体。
【請求項１３】
前記本体の側壁部分上に配置されたボタンであって、前記ボタンは、前記ボタンを押圧することにより前記作動部材が内方に移動されるよう前記作動部材に連結され、前記レバーは、前記作動位置にあるときに前記第２の力を前記ボタンに与えるよう構成され、前記第１の力は前記レバーに与えられる、ボタンをさらに備える、請求項９に記載の飲用容器および蓋部の組立体。
【請求項１４】
液体を含む飲用容器とともに用いられる蓋部であって、
前記飲用容器に選択的に連結され、前記蓋部が前記飲用容器に連結されるとき流体通路の通過が可能となるよう構成された飲用開口部を有する上方部分を備え、作動部材開口部壁部により形成された作動部材開口部を有する側壁をさらに備え、前記作動部材開口部壁部は前記側壁を通って延びる、本体と、
前記本体に対して移動可能に連結され、閉止位置へと上方に変位するよう構成され、開放位置へと下方に変位するよう構成され、カム従動子を有するストッパであって、前記閉止位置においては、前記ストッパが、前記本体の一部分と係合し前記飲用開口部をカバーすることにより、流体通路が前記飲用開口部を通過することが妨げられ、前記開放位置においては、前記ストッパが、前記本体の前記一部分から離間されることにより、流体通路が前記飲用開口部を通過することが可能となる、ストッパと、
前記作動部材開口部を通って延長し、前記本体に移動可能に連結され、内方および外方に移動することが可能であり、カム表面を有する作動部材であって、前記カム表面は、前記作動部材の内方移動の間は、前記ストッパの前記カム従動子に摺動可能に係合し、それにより、前記カム表面は前記カム従動子を下方に移動させ、それにより、前記ストッパは前記開放位置へと移動されるよう配置され、且つ、前記作動部材の外方移動の間は、前記カム表面は、前記カム従動子が上方に移動することを可能にし、それにより、前記ストッパは前記閉止位置へと移動されるよう配置された、作動部材と、
前記作動部材に連結され、前記作動部材が外方位置に配置されるとき、前記作動部材と前記作動部材開口部壁部との間の前記作動部材開口部内に配置されることにより、流体通路が前記作動部材開口部を通ることを妨げる流体密封シールが提供されるシール部材であって、前記作動部材が内方に移動すると、前記シール部材は、前記カム表面が前記カム従動子を下方に移動させることにより前記ストッパが前記開放位置に移動される前に、前記作動部材開口部から少なくとも部分的に脱出した位置へと内方に移動することにより前記流体密封シールが破られる、シール部材と、
前記本体に回転可能に連結されたレバーであって、前記レバーが前記飲用開口部をカバーするカバー位置へと、および第１の力が前記レバーに与えられると前記レバーが前記作動部材に第２の力を与えるよう機能し、それにより前記作動部材が内方に移動される作動位置へと、回転可能に変位するよう構成された、前記レバーと、
を備える蓋部。
【請求項１５】
前記作動部材は前記外方位置に向かって付勢され、前記ストッパは前記閉止位置に向かって付勢される、請求項１４に記載の蓋部。
【請求項１６】
前記本体の前記側壁上に配置されたボタンであって、前記ボタンは、前記ボタンを押下することにより前記作動部材が内方に移動されるよう前記作動部材に連結され、前記レバーは、前記作動位置にあるときに前記第２の力を前記ボタンに与えるよう構成され、前記第１の力は前記レバーに与えられる、ボタンをさらに備える、請求項１４に記載の蓋部。
【請求項１７】
液体を含む飲用容器とともに用いられる蓋部であって、
前記飲用容器に選択的に連結され、且つ、前記蓋部が前記飲用容器に連結されるとき流体通路の通過が可能となるよう構成された開口部を有する上方部分を備える、本体と、
前記本体に移動可能に連結され、閉止位置へと上方に変位するよう構成され、開放位置へと下方に変位するよう構成され、カム表面およびカム従動子のうちの一方を備える作動部材係合部分を有するストッパであって、前記閉止位置においては、前記ストッパが、前記本体の一部分と係合し前記開口部をカバーすることにより、流体通路が前記開口部を通過することが妨げられ、前記開放位置においては、前記ストッパが、前記本体の前記一部分から離間されることにより、流体通路が前記開口部を通過することが可能となる、ストッパと、
前記本体に移動可能に連結され、前記ストッパに摺動可能に係合し、内方および外方に移動することが可能であり、前記カム表面および前記カム従動子のうちの他方を備えるストッパ係合部分を有する作動部材であって、前記ストッパの前記作動部材係合部分は、前記作動部材の内方移動の間は、前記作動部材の前記ストッパ係合部分と係合し、それにより前記ストッパ係合部分は前記作動部材係合部分を下方に移動させ、それにより前記ストッパは前記開放位置へと移動されるよう配置され、且つ、前記作動部材の外方移動の間は、前記ストッパ係合部分は前記作動部材係合部分が上方に移動することを可能にし、それにより、前記ストッパは前記閉止位置へと移動されるよう配置される、作動部材と、
前記本体に回転可能に連結されたレバーであって、前記レバーが前記飲用開口部をカバーするカバー位置へと、および第１の力が前記レバーに与えられると前記レバーが前記作動部材に第２の力を与えるよう機能し、それにより前記作動部材が内方に移動される作動位置へと、回転可能に変位するよう構成された、レバーと、
を備える蓋部。
【請求項１８】
液体を含む飲用容器とともに用いられる蓋部であって、
前記飲用容器に選択的に連結され、前記蓋部が前記飲用容器に連結されるとき流体通路の通過が可能となるよう構成された飲用開口部を有する上方部分を備え、作動部材開口部壁部により形成された作動部材開口部を有する側壁をさらに備え、前記作動部材開口部壁部は前記側壁を通って延びる、本体と、
前記本体に対して移動可能に連結され、閉止位置へと上方に変位するよう構成され、開放位置へと下方に変位するよう構成され、互いから離間した第１カム従動子および第２カム従動子を有するストッパであって、前記閉止位置においては、前記ストッパが、前記本体の一部分と係合し前記飲用開口部をカバーすることにより、流体通路が前記飲用開口部を通過することが妨げられ、前記開放位置においては、前記ストッパが、前記本体の前記一部分から離間されることにより、流体通路が前記飲用開口部を通過することが可能となる、ストッパと、
前記作動部材開口部を通って延長し、前記本体に移動可能に連結され、内方および外方に移動することが可能であり、互いから離間した第１カム表面および第２カム表面を有する作動部材であって、前記ストッパの前記第１カム従動子および第２カム従動子は、前記作動部材の内方移動の間は、それぞれ前記作動部材の前記第１カム表面および前記第２カム表面により摺動可能に係合され、それにより、前記第１カム従動子および前記第２カム従動子は下方に移動され、それにより前記ストッパは前記開放位置へと移動されるよう配置され、且つ、前記作動部材の外方移動の間は、前記第１カム表面および前記第２カム表面は、前記第１カム従動子および前記第２カム従動子が上方に移動することを可能にし、それにより前記ストッパは前記閉止位置へと移動されるよう配置された、作動部材と、
前記作動部材に連結されたシール部材であって、前記作動部材が外方位置に配置されるとき、前記作動部材と前記作動部材開口部壁部との間の前記作動部材開口部内に配置されることにより、流体通路が前記作動部材開口部を通ることを妨げる流体密封シールが提供されるシール部材であって、前記作動部材が内方に移動すると、前記シール部材は、前記第１カム表面および前記第２カム表面が前記第１カム従動子および前記第２カム従動子を下方に移動させることにより前記ストッパが前記開放位置に移動される前に、前記作動部材開口部から少なくとも部分的に脱出した位置へと内方に移動することにより前記流体密封シールが破られる、シール部材と、
前記本体に回転可能に連結されたレバーであって、前記レバーが前記飲用開口部をカバーするカバー位置へと、および第１の力が前記レバーに与えられると前記レバーが前記作動部材に第２の力を与えるよう機能し、それにより前記作動部材が内方に移動される作動位置へと、回転可能に変位するよう構成された、レバーと、
を備える蓋部。
【請求項１９】
液体を含む飲用容器とともに用いられる蓋部であって、
前記飲用容器に選択的に連結され、前記蓋部が前記飲用容器に連結されるとき流体通路の通過が可能となるよう構成された飲用開口部を有する上方部分を備え、作動部材開口部壁部により形成された作動部材開口部を有する側壁をさらに備え、前記作動部材開口部壁部は前記側壁を通って延びる、本体と、
前記本体に対して移動可能に連結され、閉止位置へと上方に変位するよう構成され、開放位置へと下方に変位するよう構成され、カム表面およびカム従動子のうちの一方を備えるストッパ係合部分を有するストッパであって、前記閉止位置においては、前記ストッパが、前記本体の一部分と係合し前記飲用開口部をカバーすることにより、流体通路が前記飲用開口部を通過することが妨げられ、前記開放位置においては、前記ストッパが、前記本体の前記一部分から離間されることにより、流体通路が前記飲用開口部を通過することが可能となる、ストッパと、
前記作動部材開口部を通って延長し、前記本体に移動可能に連結され、内方および外方に移動することが可能であり、前記カム表面および前記カム従動子のうちの他方を備える作動部材係合部分を有する作動部材であって、前記作動部材の前記作動部材係合部分は、前記作動部材の内方移動の間は、前記ストッパの前記ストッパ係合部分と摺動可能に係合し、それにより、前記作動部材係合部分は前記ストッパ係合部分を下方に移動させ、それにより前記ストッパは前記開放位置へと移動されるよう配置され、且つ、前記作動部材の外方移動の間は、前記作動部材係合部分は前記ストッパ係合部分が上方に移動することを可能にし、それにより、前記ストッパは前記閉止位置へと移動されるよう配置される、作動部材と、
前記作動部材に連結され、前記作動部材が外方位置に配置されるとき、前記作動部材と前記作動部材開口部壁部との間の前記作動部材開口部内に配置されることにより、流体通路が前記作動部材開口部を通ることを妨げる流体密封シールが提供されるシール部材であって、前記作動部材が内方に移動すると、前記シール部材は、前記作動部材係合部分が前記ストッパ係合部分を十分下方に移動させることにより前記ストッパが前記開放位置へと移動される前に、前記シール部材と前記作動部材開口部壁部との間の前記流体密封シールが破られる位置へと内方に移動する、シール部材と、
前記本体に回転可能に連結されたレバーであって、前記レバーが前記飲用開口部をカバーするカバー位置へと、および第１の力が前記レバーに与えられると前記レバーが前記作動部材に第２の力を与えるよう機能し、それにより前記作動部材が内方に移動される作動位置へと、回転可能に変位するよう構成された、レバーと、
を備える蓋部。
【請求項２０】
液体を含む飲用容器とともに用いられる蓋部であって、
前記飲用容器に選択的に連結され、且つ、前記蓋部が前記飲用容器に連結されるとき流体通路の通過が可能となるよう構成された飲用開口部を有する上方部分を備える、本体と、
前記本体に対して移動可能に連結され、閉止位置へと第１方向に変位するよう構成され、開放位置へと第２方向に変位するよう構成されたストッパであって、前記閉止位置においては、前記ストッパが、前記本体の一部分と係合し前記飲用開口部をカバーすることにより、流体通路が前記飲用開口部を通過することが妨げられ、前記開放位置においては、前記ストッパが、前記本体の前記一部分から離間されることにより、流体通路が前記飲用開口部を通過することが可能となる、ストッパと、
前記本体に移動可能に連結され、前記ストッパに係合する作動部材であって、その移動により、前記ストッパが前記開放位置と前記閉止位置との間で移動されるよう構成された、作動部材と、
前記本体に回転可能に連結され、回転可能に変位するよう構成されたレバーであって、第１の力が前記レバーに与えられると、前記レバーは前記作動部材に第２の力を与えるよう機能し、それにより、前記作動部材は、前記ストッパを前記開放位置に向かって移動させる方向に移動される、レバーと、
を備える蓋部。
【請求項２１】
前記レバーは、ヒンジにより前記本体に連結され、前記ヒンジから離間した前記レバーの第１部分において前記第１の力を受容するよう構成され、前記ヒンジと前記第１位置との間に配置された前記レバーの第２部分において前記第２の力を前記作動部材に与えるよう構成された、請求項２０に記載の蓋部。
【請求項２２】
前記レバーは、前記レバーが前記飲用開口部をカバーするカバー位置へと回転可能に変位することが可能である、請求項２０に記載の蓋部。